(57)【要約】【課題】状況に応じて視聴者が望む画面をすばやく簡単に選択できるようにした受信装置、受信装置の制御方法、およびプログラムを提供する。【解決手段】出力部は、デコード部から出力される放送映像の画面とアプリケーション実行部から出力される画像の画面とを適宜配置してなるモニター画面の信号を出力する。ユーザーインタフェース部は、ユーザーインタフェースを管理するとともに、外部からの操作による操作信号に基づいて、モニター画面に配置されている複数の画面のうちのその時点で選択されている選択画面に対応付く番組またはアプリケーションプログラムに、操作信号を伝達する。制御部は、番組に関する所定のトリガー事象が生じたときに、選択画面がトリガー事象に対応付けられる前記画面になるように切り換えるように制御する。【選択図】図１
2017069727.tif 000002
【特許請求の範囲】
【請求項１】
番組の放送信号を受信する受信部と、
前記放送信号から抽出された映像信号をデコードし、デコードされた放送映像を出力するデコード部と、
アプリケーションプログラムを実行し、前記アプリケーションプログラムによる表示の画像を出力するアプリケーション実行部と、
前記デコード部から出力される放送映像の画面と前記アプリケーション実行部から出力される画像の画面とを適宜配置してなるモニター画面の信号を出力する出力部と、
ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース部と、
前記番組に関する所定のトリガー事象が生じたときに、前記選択画面が、前記トリガー事象に対応付けられる前記画面になるように切り換えるように制御する制御部と、
を具備することを特徴とする受信装置。
【請求項２】
前記トリガー事象は、特定の属性を有する前記番組の放送信号を受信するときである、
ことを特徴とする請求項１に記載の受信装置。
【請求項３】
前記特定の属性とは、前記番組が視聴者参加型の番組である、
ことを特徴とする請求項２に記載の受信装置。
【請求項４】
前記制御部は、前記特定の属性を有する前記番組の放送信号を受信することを、当該番組が属する放送サービスについてのイベント情報テーブル内から抽出する情報によって検知する、
ことを特徴とする請求項２または３に記載の受信装置。
【請求項５】
前記制御部は、前記番組の視聴予約を管理するものであり、視聴予約された前記番組の開始時刻が到来するタイミングにより前記トリガー事象を検知する、
ことを特徴とする請求項１から４までのいずれか一項に記載の受信装置。
【請求項６】
前記ユーザーインタフェース部は、視聴予約された前記番組の開始時刻が到来するタイミングにおいて、予約されている前記番組の放送映像の前記画面を前記選択画面とするか否かを問い合わせるための表示を行い、
前記ユーザーインタフェース部がこの問合せの表示に対して否定的な応答の信号を外部から得た場合には、前記制御部は、通信により連携動作している外部の端末装置に対して、前記視聴予約された前記番組の映像を送信するよう制御する、
ことを特徴とする請求項５に記載の受信装置。
【請求項７】
前記視聴者参加型の番組において過去に付与されたポイントの情報を記憶させて管理するポイント処理部、
をさらに具備し、
前記制御部は、前記ポイント処理部が管理する前記ポイントの情報に基づき、過去にポイントの付与があった前記番組の開始時刻が到来するタイミングにより前記トリガー事象を検知する、
ことを特徴とする請求項３に記載の受信装置。
【請求項８】
前記ポイント処理部は、前記視聴者参加型の番組に過去に参加したことがあるか否かを表す参加履歴情報をも記憶させて管理するものであり、
前記制御部は、前記ポイント処理部が管理する前記参加履歴情報に基づき、過去に参加したことがある前記番組の開始時刻が到来するタイミングにより前記トリガー事象を検知する、
ことを特徴とする請求項７に記載の受信装置。
【請求項９】
番組の放送信号を受信する受信過程、
前記放送信号から抽出された映像信号をデコードし、デコードされた放送映像を出力するデコード過程、
アプリケーションプログラムを実行し、前記アプリケーションプログラムによる表示の画像を出力するアプリケーション実行過程、
前記デコード過程から出力される放送映像の画面と前記アプリケーション実行過程から出力される画像の画面とを適宜配置してなるモニター画面の信号を出力する出力過程、
ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース処理過程、
前記番組に関する所定のトリガー事象が生じたときに、前記選択画面が、前記トリガー事象に対応付けられる前記画面になるように切り換えるように制御する制御過程、
を含む受信装置の制御方法。
【請求項１０】
コンピューターに、
受信した番組の放送信号から抽出された映像信号をデコードし、デコードされた放送映像を出力するデコード過程、
アプリケーションプログラムを実行し、前記アプリケーションプログラムによる表示の画像を出力するアプリケーション実行過程、
前記デコード過程から出力される放送映像の画面と前記アプリケーション実行過程から出力される画像の画面とを適宜配置してなるモニター画面の信号を出力する出力過程、
ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース処理過程、
前記番組に関する所定のトリガー事象が生じたときに、前記選択画面が、前記トリガー事象に対応付けられる前記画面になるように切り換えるように制御する制御過程、
の機能を実行させるためのプログラム。
【発明の詳細な説明】
【技術分野】
【０００１】
本発明は、テレビ放送の受信装置、受信装置の制御方法、およびそのプログラムに関する。
【背景技術】
【０００２】
「４ｋ」あるいは「８ｋ」と呼ばれる高解像度のモニターを備えたテレビ受像機の普及が見込まれている。また、テレビ放送の画面だけを表示するのではなく、様々なアプリケーション（略して「アプリ」とも言う）がテレビ受像機上で実行され、それらのアプリケーションからの画像出力が同時にモニター画面上に表示される場合もある。モニター画面上において、放送画面やアプリケーション画面が同じ領域を占めるとき、オーバーレイ表示が行われる。つまり、より手前側にある画面のみが視聴者に見える状態で表示され、より奥側にある画面は隠れてしまって視聴者には見えない状態となる。
テレビ受像機には、視聴者が適切なタイミングで適切な画面に簡単に切り換えることのできるユーザーインタフェースを提供することが求められる。
【０００３】
例えば、特許文献１（特に、段落００６４−００６６）には、テレビのリモートコントローラのカラーキーを所定のネットアプリケーションへ接続するためのショートカットキーとして処理する技術が記載されている。その際、キーと接続先との割当関係は予めメモリ等に記憶されている。
【０００４】
また例えば、特許文献２（特に、段落００４０−００４１）には、アナログテレビ放送の終了後には、テレビのリモコンのアナログチャンネルキーに他の機能を割り当てる技術が記載されている。
【先行技術文献】
【特許文献】
【０００５】
【特許文献１】特開２０１３−０７０３４３号公報
【特許文献２】特開２００７−２３５６９３号公報
【発明の概要】
【発明が解決しようとする課題】
【０００６】
しかしながら、ユーザーが望む画面をすばやく簡単に選択できるようにするためには、さらなる工夫が求められる。
本発明は、上記の課題認識に基づいて行なわれたものであり、生じる状況に応じて適切な画面を簡単に選択することのできる受信装置、受信装置の制御方法、およびプログラムを提供しようとするものである。
【課題を解決するための手段】
【０００７】
［１］上記の課題を解決するため、本発明の一態様による受信装置は、番組の放送信号を受信する受信部と、前記放送信号から抽出された映像信号をデコードし、デコードされた放送映像を出力するデコード部と、アプリケーションプログラムを実行し、前記アプリケーションプログラムによる表示の画像を出力するアプリケーション実行部と、前記デコード部から出力される放送映像の画面と前記アプリケーション実行部から出力される画像の画面とを適宜配置してなるモニター画面の信号を出力する出力部と、ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース部と、前記番組に関する所定のトリガー事象が生じたときに、前記選択画面が、前記トリガー事象に対応付けられる前記画面になるように切り換えるように制御する制御部と、を具備することを特徴とする。
【０００８】
［２］また、本発明の一態様は、上記の受信装置において、前記トリガー事象は、特定の属性を有する前記番組の放送信号を受信するときである、ことを特徴とする。
【０００９】
［３］また、本発明の一態様は、上記の受信装置において、前記特定の属性とは、前記番組が視聴者参加型の番組である、ことを特徴とする。
【００１０】
［４］また、本発明の一態様は、上記の受信装置において、前記制御部は、前記特定の属性を有する前記番組の放送信号を受信することを、当該番組が属する放送サービスについてのイベント情報テーブル内から抽出する情報によって検知する、ことを特徴とする。
【００１１】
［５］また、本発明の一態様は、上記の受信装置において、前記制御部は、前記番組の視聴予約を管理するものであり、視聴予約された前記番組の開始時刻が到来するタイミングにより前記トリガー事象を検知する、ことを特徴とする。
【００１２】
［６］また、本発明の一態様は、上記の受信装置において、前記ユーザーインタフェース部は、視聴予約された前記番組の開始時刻が到来するタイミングにおいて、予約されている前記番組の放送映像の前記画面を前記選択画面とするか否かを問い合わせるための表示を行い、前記ユーザーインタフェース部がこの問合せの表示に対して否定的な応答の信号を外部から得た場合には、前記制御部は、通信により連携動作している外部の端末装置に対して、前記視聴予約された前記番組の映像を送信するよう制御する、ことを特徴とする。
【００１３】
［７］また、本発明の一態様は、上記の受信装置において、前記視聴者参加型の番組において過去に付与されたポイントの情報を記憶させて管理するポイント処理部、をさらに具備し、前記制御部は、前記ポイント処理部が管理する前記ポイントの情報に基づき、過去にポイントの付与があった前記番組の開始時刻が到来するタイミングにより前記トリガー事象を検知する、ことを特徴とする。
【００１４】
［８］また、本発明の一態様は、上記の受信装置において、前記ポイント処理部は、前記視聴者参加型の番組に過去に参加したことがあるか否かを表す参加履歴情報をも記憶させて管理するものであり、前記制御部は、前記ポイント処理部が管理する前記参加履歴情報に基づき、過去に参加したことがある前記番組の開始時刻が到来するタイミングにより前記トリガー事象を検知する、ことを特徴とする。
【００１５】
［９］また、本発明の一態様による受信装置の制御方法は、番組の放送信号を受信する受信過程、前記放送信号から抽出された映像信号をデコードし、デコードされた放送映像を出力するデコード過程、アプリケーションプログラムを実行し、前記アプリケーションプログラムによる表示の画像を出力するアプリケーション実行過程、前記デコード過程から出力される放送映像の画面と前記アプリケーション実行過程から出力される画像の画面とを適宜配置してなるモニター画面の信号を出力する出力過程、ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース処理過程、前記番組に関する所定のトリガー事象が生じたときに、前記選択画面が、前記トリガー事象に対応付けられる前記画面になるように切り換えるように制御する制御過程、を含む方法である。
【００１６】
［１０］また、本発明の一態様は、コンピューターに、受信した番組の放送信号から抽出された映像信号をデコードし、デコードされた放送映像を出力するデコード過程、アプリケーションプログラムを実行し、前記アプリケーションプログラムによる表示の画像を出力するアプリケーション実行過程、前記デコード過程から出力される放送映像の画面と前記アプリケーション実行過程から出力される画像の画面とを適宜配置してなるモニター画面の信号を出力する出力過程、ユーザーインタフェースを管理するとともに、外部からの操作による操作信号に基づいて、前記モニター画面に配置されている複数の前記画面のうちのその時点で選択されている選択画面に対応付く前記番組または前記アプリケーションプログラムに、前記操作信号を伝達するユーザーインタフェース処理過程、前記番組に関する所定のトリガー事象が生じたときに、前記選択画面が、前記トリガー事象に対応付けられる前記画面になるように切り換えるように制御する制御過程、の機能を実行させるためのプログラムである。
【発明の効果】
【００１７】
本発明によれば、制御部が検知するトリガー事象に応じて、視聴者に多大な手間をかけさせることなく、簡単に選択画面を切り換えることが可能となる。
【図面の簡単な説明】
【００１８】
【図１】本発明の一実施形態による受信装置の概略機能構成を示すブロック図である。
【図２】同実施形態による受信装置における制御部のさらに詳細な機能構成を示した概略図である。
【図３】同実施形態による受信装置を含んだ宅内システムの装置構成を示す概略図である。
【図４】同実施形態による受信装置が、所定のトリガー事象に基づいて操作対象画面を切り換える際のユーザーインタフェースの例を示す概略図である。
【図５】同実施形態による受信装置が、トリガー事象に基づいて選択画面を切り換えるための処理の手順を示すフローチャートである。
【図６】同実施形態による受信装置が表示する番組表の例を示す概略図であり、この番組表は番組の属性や予約状況等をも表す。
【図７】同実施形態による受信装置が、トリガー事象に基づいて操作対象の画面を選択する際の、ユーザーインタフェースの例を示す概略図である。
【図８】同実施形態による受信装置が、連携端末装置での番組視聴をするか否かを視聴者に問い合わせるための画面を示す概略図である。
【図９】同実施形態による受信装置が表示する番組表の例を示す概略図であり、この番組表は番組種別（例えば、いかなる視聴者参加型番組であるかによる種別）をも表す。
【図１０】同実施形態による受信装置が表示する番組表の例を示す概略図であり、この番組表は、視聴者の番組への参加履歴およびポイントに関する情報を含んだアイコンをも表示する。
【発明を実施するための形態】
【００１９】
以下では、図面を参照しながら、本発明の実施形態について説明する。
［第１実施形態］
（１）機能構成等
図１は、本実施形態による受信装置の概略機能構成を示すブロック図である。図示するように、受信装置１は、通信部１１と、ユーザーインタフェース部１７と、受信部２１と、分離部２２と、デコード部２３と、出力部２４と、制御部３１と、番組情報記憶部３４と、キー割当記憶部３５と、アプリケーション実行部４１とを含んで構成される。受信装置１は、テレビ放送を受信しその番組を映像および音として出力するテレビ受像機である。また、受信装置１は、外部のリモコン装置１８からのリモコン信号を受信できるように構成されている。
【００２０】
通信部１１は、外部の各種機器との間で通信を行う機能を備えている。通信部１１は、例えば、ＩＰ（インターネットプロトコル）を用いて外部の各種機器との間で通信を行う。通信部１１は、無線または有線によるＬＡＮ（ローカルエリアネットワーク）を経由して外部の各種機器と通信する。また、通信部１１は、インターネットを経由して遠隔地にある各種機器との間でも通信を行う。
【００２１】
ユーザーインタフェース部１７は、ユーザーインタフェースを管理する。ユーザーインタフェース部１７は、視聴者による操作に基づいて、その操作による指示を制御部３１に伝達したり、制御部３１を経由してアプリケーション実行部４１で実行されるアプリケーションに伝達したり、操作の結果を画像や音声によって出力したりする。ユーザーインタフェース部１７は、例えば、外部のリモコン装置１８から送信されるリモコン信号（操作信号）に基づいて処理を行う。リモコン装置１８は、赤外線や超音波によるリモコン信号を送信する。リモコン装置１８が、有線による電気信号を送信するようにしてもよい。また例えば、ユーザーインタフェース部１７は、後述する外部の端末装置（受信装置１と連携する連携端末）から送信されるリモコン信号に基づいて処理を行う。外部の端末装置は、例えば無線によるローカルエリアネットワークを経由して、ＩＰパケットに載せたリモコン信号を送信する。外部の端末装置からのＩＰパケットを用いた通信によるデータは、通信部１１を経由してユーザーインタフェース部１７に渡される。
なお、ユーザーインタフェース部１７は、外部からの操作による操作信号を、モニター画面に配置されている複数の画面（窓）のうちの、その時点で選択されている画面（便宜上、「選択画面」と呼ぶ場合がある）に作用させる。具体的には、ユーザーインタフェース部１７は、選択画面に対応付く番組や、選択画面に対応付くアプリケーションプログラムに、操作信号（または前記の操作信号に基づく指令等）を伝達する。
ユーザーインタフェース部１７は、画面切換部３１１が選択画面の切り換えを行う際、画面切換部３１１と協調して、その切り換えを行うか否かを問い合わせるための表示を行う場合がある。そのような問合せを行った場合、ユーザーインタフェース部１７は、視聴者からのリモコン操作等による応答を受け付ける。
【００２２】
受信部２１は、テレビの放送信号を受信する。ここで受信部２１が受信する放送信号は、視聴者等による選局操作に基づいて選局されているチャンネル（放送サービス）の信号である。放送信号は、放送局側の送信装置から送信される信号である。放送信号は、例えば、電波により伝送される。また、放送信号は、例えば、ケーブルテレビのケーブル上の電気信号として伝送される。また、放送信号が、通信回線経由で伝送されるようにしてもよい。受信部２１が受信する放送信号には、テレビ番組の映像や音声の信号のほかに、番組表のデータや、字幕等のデータや、その他の各種データや、制御情報などが多住されている。受信部２１は、受信した放送信号を分離部２２に渡す。
【００２３】
分離部２２は、受信部２１から放送信号を受け取り、その信号を分離・抽出する。具体的には、分離部２２は、多重化されている放送信号から、映像の信号（映像アセット）や、音声の信号（音声アセット）や、字幕のデータ（字幕アセット）や、データ放送のデータや、制御信号や、その他の信号を、それぞれ抽出する。分離部２２は、少なくとも、抽出した映像信号や音声信号をデコード部２３に渡す。また、分離部２２は、制御信号や、ＥＰＧ（電子番組表）のデータや、その他の必要な信号を制御部３１に渡す。
【００２４】
デコード部２３は、分離部２２によって抽出され、分離部２２から渡された映像信号および音声信号をそれぞれデコードする。デコード部２３は、デコードされた映像（放送映像）および音声（放送音声）を、出力部２４に渡す。
【００２５】
出力部２４は、映像（画像）および音声を出力する。出力部２４は、デコード部２３から渡される放送コンテンツの映像と、アプリケーション実行部４１から渡されるアプリケーションからの出力映像（画像）と、ユーザーインタフェース部１７が出力する画像等とを、適宜合成して、映像として出力する。出力部２４は、具体的には、デコード部２３から出力される放送映像の画面とアプリケーション実行部４１から出力される画像の画面とを適宜配置して、モニター画面の信号とし、これを出力する。モニター画面内の上記の各画面（窓）は、互いに重ねて配置される場合もある。また、重なることによって、ある画面（窓）の一部または全部が隠れて見えなくなっている状態の場合もある。また、画面（窓）が最小化されている場合や、アイコン化されている場合もある。出力部２４から出力される映像は、受信装置１が備えるモニターディスプレイまたは外部のモニターディスプレイにて表示される。出力部２４はまた、デコード部２３から渡される放送コンテンツの音声と、アプリケーション実行部４１から渡されるアプリケーションからの出力音声と、ユーザーインタフェース部１７から出力される音声とを、適宜合成して、音声として出力する。出力部２４から出力される音声は、必要に応じて増幅され、受信装置１が備えるスピーカーや、外部のスピーカーまたはイヤフォンにて出力される。
【００２６】
制御部３１は、受信装置１全体を制御する。また、制御部３１は、放送信号に含まれる制御情報等を解釈する。また、制御部３１は、放送信号に含まれるデータ放送のデータのうち、必要な情報を取得する。本実施形態による制御部３１は、トリガー事象が生じたことを検知したときに、リモコン装置１８等による操作の対象である選択画面が、そのトリガー事象に対応付けられた画面（窓）になるように切り換える制御を行う。この画面の切り換えの詳細については、様々なパターンを後で説明する。
また、制御部３１は、受信装置１が受信した放送を連携端末装置上で視聴できるように、その放送番組の映像および音声を端末装置７に送信するように制御する場合がる。例えば、トリガー事象の発生に応じて、選択画面をそのトリガー事象に対応した放送番組の表示のための画面に切り換えようとしたとき、視聴者がその切り換えに対して否定的な応答操作をした場合がそれにあたる。この場合、制御部３１は、その番組の映像と音声を端末装置７に送信するよう制御する。なお映像および音声を端末装置７に送信する前に、端末装置７側での視聴を行うか否かを視聴者に問い合わせてもよい。
【００２７】
番組情報記憶部３４は、放送されるテレビ番号に関する情報を記憶するものである。具体的には、番組情報記憶部３４は、少なくとも次に列挙する情報を記憶する。
（１）番組表（ＥＰＧ）情報
番組表情報は、放送される番組のスケジュールを表す情報である。番組表情報は、放送信号に載せて放送局側から送られてくるものである。番組表情報は、番組のタイトル、番組概要、番組が放送される日時（開始日時および終了日時）、放送局（またはチャンネル、あるいは放送サービス）を識別する情報を含む。
（２）番組属性の情報
番組属性の情報は、番組が特定の属性を有するものであるか否かを表す情報である。属性とは、一例としては、視聴者参加型番組であることである。視聴者参加型番組においては、視聴者は、リモコン装置のキー等を操作することにより、放送番組に関して、放送局側とインタラクティブにやりとりする。番組属性の情報は、後述するように、放送局側から放送信号に載せて伝送するようにする。
（３）番組種別（ジャンル）の情報
番組種別の情報は、番組がいかなる種類のものであるかを詳細に区分するための情報である。例えば、番組が視聴者参加型番組の属性を有するものであるとき、番組の種別とは、次の（ａ）から（ｃ）までのようなものである。（ａ）付与されるポイントの蓄積に応じて視聴者が賞品を獲得する機会があり得る番組。（ｂ）付与されるポイントの蓄積に応じて視聴者が賞金を獲得する機会があり得る番組。（ｃ）ポイントを蓄積して楽しむのみであって、賞品や賞金の獲得を目的とするものではない番組。番組種別の情報は、後述するように、放送局側から放送信号に載せて伝送するようにする。
（４）番組予約情報
番組予約情報は、番組の視聴が予約されているか否かを表す情報である。この番組予約情報は、後述する番組予約部３１７によって管理される。
（５）視聴者参加履歴情報
視聴者参加履歴情報は、当該受信装置１を用いる視聴者が、特定の番組に参加したことがあるか否かを表す情報である。この視聴者参加履歴情報は、番組ごとに管理される。この視聴者参加履歴情報の使用方法については、後述する。
（６）ポイント情報
ポイント情報は、当該受信装置１を用いる視聴者が、過去に特定の番組に参加した際に、参加によって付与されて蓄積しているポイントの数値（点数）を表す情報である。このポイント情報は、番組ごとに管理される。このポイント情報の使用方法については、後述する。
【００２８】
キー割当記憶部３５は、リモコン装置１８等のキーと、個別の画面との対応関係を記憶するものである。キー割当記憶部３５の情報は、制御部３１によって参照されたり更新されたりする。
【００２９】
アプリケーション実行部４１は、アプリケーションプログラムを実行する機能を備える。具体的には、アプリケーション実行部４１は、所定のロケーションからアプリケーションのコードを読み取り、実行し、アプリケーションからの出力される画像（映像）や音声を出力部２４経由で出力する。アプリケーション実行部４１は、制御部３１からの制御によってアプリケーションを稼働させたり停止させたりする。なお、アプリケーション実行部４１は、複数のアプリケーションを並行して実行させることができる。また、アプリケーション実行部４１は、各アプリケーションが外部と通信することができるように、通信部１１を経由した通信を管理し、その通信のために必要なＡＰＩ（アプリケーションプログラムインタフェース）をアプリケーションに対して提供する。
【００３０】
リモコン装置１８は、各種のキーを備えており、視聴者によって押下されたキーに対応するリモコン信号を送信する。
リモコン装置１８が備えるキーには、以下に列挙するものが含まれる。あるいは、リモコン装置１８が備えるキーには、以下に列挙するキーのうちの一部のキーが含まれる。
「地上」、「ＢＳ」、「ＣＳ」の各キーは、それぞれ、地上波放送、放送衛星（Broadcasting Satellite）、通信衛星（Communication Satellite）を選択するためのキーである。
矢印キーは、４種類あり、それぞれ、上、下、左、右を選択するためのキーである。矢印キーは、カーソルを移動させるためなどに使用される。
「決定」キーは、現在フォーカスされている項目を選択決定するためなどに使用されるキーである。
「番組表」、「メニュー」、「戻る」の各キーは、それぞれ、番組表を表示させたり、メニューを表示させたり、ひとつ前の位置に戻らせたりするために使用されるキーである。
カラーキーは、４種類あり、それぞれ、青、赤、緑、黄の各色に対応するキーである。
数字キーは、例えば１２種類あり、それぞれ、１から１２までの整数に対応するキーである。これらの数字キーは、例えば、チャンネル（放送サービス）を選択するためなどに使用されるキーである。
「選局」キーは、２種類あり、それぞれ、上、下に対応するキーである。これらのキーは、現在選局されているチャンネル（放送サービス）の番号から、それぞれ、上または下のチャンネルの番号に、選局対象を移すために使用されるキーである。
「音量」キーは、２種類あり、それぞれ、上、下に対応するキーである。これらのキーは、現在設定されている音声出力音量から、それぞれ、上（相対的に音量大）または下（相対的に音量小）に、設定音量を移すために使用されるキーである。
なお、上記の「選局」の上下や「音量」の上下のキーに加えて、リモコン装置１８が、汎用的な上および下に対応するキーを備えるようにしてもよい。
またさらに、映像コンテンツの録画および再生に関するキーを、リモコン装置１８が備える場合もある。それらのキーは、例えば、再生、録画、停止、一時停止、早送り、巻き戻し、コマ送り、コマ戻し等のキーである。
【００３１】
図２は、上記の制御部のさらに詳細な機能構成を示した概略図である。図示するように、制御部３１は、画面切換部３１１と、キー割当処理部３１３と、番組表表示部３１５と、番組予約部３１７と、ポイント処理部３１９とを含んで構成される。
【００３２】
画面切換部３１１は、選択画面を切り換える機能を有する。選択画面とは、視聴者による操作対象として選択されている画面である。リモコン装置１８等による操作の信号は、その時点の選択画面に対して作用するように伝達される。画面切換部３１１は、前記のトリガー事象の発生に応じて選択画面の切り換えを行う場合がある。トリガー事象の発生に応じて選択画面を切り換える際、画面切換部３１１は、リモコン装置１８等の操作キー（例えば、カラーキー）と画面との対応付けを画面上に提示してから、選択された操作キーに応じて画面を切り換える。ただし、トリガー事象の発生に応じて選択画面を切り換える際、上記の対応付けの画面上への提示を行わずに、自動的に、そのトリガー事象に対応した画面を選択するように切り換えてもよい。
キー割当処理部３１３は、画面と、リモコン装置１８等のキーとの関連付けを割り当てる機能を有する。キー割当処理部３１３は、適宜、キー割当記憶部３５を参照したり更新したりする。
【００３３】
番組表表示部３１５は、画面に、番組表を表示する機能を有する。番組表は、放送番組のスケジュール等を視聴者に対して示すための情報である。また、番組表表示部３１５は、番組ごとの属性や、種別や、予約状況や、蓄積ポイント等に応じた表示を行う。番組表表示部３１５は、アイコン等を用いて、これらの情報をわかりやすく、且つなるべく画面上の面積を無駄に占めないような形態で表示を行う。番組表表示部３１５は、番組表を表示するために、適宜、番組情報記憶部３４を参照する。
【００３４】
番組予約部３１７は、番組の視聴予約を管理する機能を有する。番組予約部３１７は、視聴者からのリモコン装置１８等の操作に基づいて、視聴予約を行ったり、解除したりする。番組予約部３１７は、その目的のために、適宜、番組情報記憶部３４に記憶される予約情報を、参照したり更新したりする。
ポイント処理部３１９は、視聴者が番組に参加したか否かを表す情報を管理する。また、ポイント処理部３１９は、視聴者が番組に参加して得たポイントの蓄積状況を管理する。ポイント処理部３１９は、これらの目的のために、適宜、番組情報記憶部３４に記憶される参加履歴情報およびポイント情報を、参照したり更新したりする。
【００３５】
図３は、受信装置１を含んだ宅内システムの装置構成を示す概略図である。この宅内システムは、例えば家庭内やオフィス内などにおいて構築されるシステムであり、複数の受信装置１と、複数のリモコン装置１８と、複数の端末装置７と、ルーター８とを含んで構成される。また、受信装置１と端末装置７とは、無線または有線によるローカルエリアネットワーク９によって互いに通信を行うことができるようになっている。また、受信装置１や端末装置７は、ルーター８を介して、インターネットを経由して外部のサーバー装置などと通信を行うことができるようになっている。
【００３６】
受信装置１と端末装置７は、連携して動作する場合がある。連携動作する受信装置１と端末装置７とは、所定の手順によってセッションを構築するなどといった方法で、対応付けられている。
端末装置７は、パーソナルコンピューター（ＰＣ）や、スマートフォン（スマホ）や、タブレットなどである。受信装置１と端末装置７とが連携動作を行うことにより、視聴者が端末装置７側から受信装置１を操作することができる。また、受信装置１で受信したテレビ放送の映像と音声を、端末装置７に転送して、端末装置側で視聴者に提示することができる。また、受信装置１上で稼働するアプリケーションと、端末装置７上で稼働するアプリケーションとが協調処理を行うこともできる。なお、受信装置１と端末装置７との連携動作自体は、既存の技術により実現される。
【００３７】
なお、図３では、複数の受信装置１と複数の端末装置７とを相互に通信可能とするためにローカルエリアネットワーク９を設けたシステムの例を示したが、受信装置１と端末装置７のそれぞれの台数は、任意である。受信装置１が１台だけであってもよい。また、端末装置７が１台だけであってもよい。また、端末装置７を用いず、受信装置１とリモコン装置１８とだけを組み合わせて、受信装置１をスタンドアロンで動作させるようにしてもよい。また、ローカルエリアネットワーク９を設けず、受信装置１を直接ＷＡＮ（ワイドエリアネットワーク、広域通信網）に接続できるようにしてもよい。
【００３８】
（２）トリガー事象に基づいて操作対象画面を切り換える動作
本機能は、受信装置１の電源がオンの状態であり、モニター画面上に放送コンテンツの画面やアプリケーションからの出力の画面が複数表示されている状態のときに、所定のトリガー事象に基づいて、画面の切り換えをスムーズに行うための手段を視聴者に提供するための機能である。そのトリガー事象の一例は、受信中の放送番組において視聴者参加型コーナーが開始される旨を通知する情報を、受信装置１が受信したという事象である。なお、トリガー事象はこれ以外の事象であってもよい。
【００３９】
上記の視聴者参加型コーナーが開始される旨を通知する情報は、放送局側の送信装置から放送信号に載せて送信され、受信装置１が受信する。例えばその通知情報は、放送信号内の制御信号の一部として伝送される。例えばその通知情報は、番組配列情報（ＳＩ，Service Information）のテーブルの一つであるイベント情報テーブル（ＥＩＴ，Event Information Table）に格納して伝送される。あるいは、その通知情報は、データ放送のデータとして伝送される。あるいは、その通知情報は、番組の映像データや音声データの中に埋め込んで伝送される。いずれの場合も、制御部３１は、この通知情報を取得して、トリガー事象を認識する。
【００４０】
図４は、トリガー事象に基づいて操作対象画面を切り換える際のユーザーインタフェースの例を示す概略図である。本例では、リモコン装置１８が備えているカラーキーを、各画面に割り当てる。同図（ａ）は、トリガー事象が生じる前の画面表示例を示す。同図（ｂ）は、トリガー事象が生じた直後の画面表示例を示す。同図（ｃ）は、同図（ｂ）において表示されているカラーキー割当用フォーカスを拡大して示す。
同図（ａ）において、受信装置１のモニター画面は、放送コンテンツ画面１０１と、番組表（ＥＰＧ）画面１０２と、アプリケーション画面１０３とを表示している。これらの各画面は、出力部２４において合成され、１枚の画面としてモニターに表示されている。前述のとおり、この状態ではまだトリガー事象が生じていない。
同図（ｂ）においては、カラーキー選択用フォーカス１０４が放送コンテンツ画面１０１上に表示されている。また、放送コンテンツ画面１０１と番組表（ＥＰＧ）画面１０２とアプリケーション画面１０３とに、それぞれ、番号（丸数字の１と２と３）が付加されている。また、放送コンテンツ画面１０１と番組表（ＥＰＧ）画面１０２とアプリケーション画面１０３に、それぞれ異なる色の枠が付した状態で表示されている。具体的には、放送コンテンツ画面１０１には青色の枠が付され、番組表（ＥＰＧ）画面１０２には緑色の枠が付され、アプリケーション画面１０３には赤色の枠が付されている。
同図（ｃ）に示す絵柄は、上記のカラーキー選択用フォーカス１０４の絵柄である。本例では、カラーキー選択用フォーカス１０４は地球儀の絵柄を含んでいる。なお、この絵柄は一例にすぎず、他の絵柄や模様等を用いてもよい。
【００４１】
同図（ａ）の状態において、制御部３１がトリガー事象を認識すると、キー割当処理部３１３が、各画面とカラーキーとの対応付けを行い、その対応関係の情報をキー割当記憶部３５に書き込む。なお、トリガー事象認識前に、キー割当処理部３１３が、各画面とカラーキーとの対応付けを行っておいて、その対応関係の情報をキー割当記憶部３５に書き込んでおくようにしてもよい。ここでは、放送コンテンツ画面１０１には青色のカラーキーが割り当てられ、番組表（ＥＰＧ）画面１０２には緑色のカラーキーが割り当てられ、アプリケーション画面１０３には赤色のカラーキーが割り当てられている。そして、画面切換部３１１は、トリガー事象の認識後に、キー割当記憶部３５から、画面とカラーキーとの対応関係を読み出す。また、画面切換部３１１は、読み出した対応関係に基づいて、画面の表示状態を同図（ｂ）のように変更する。即ち、画面切換部３１１は、各画面（１０１〜１０３）に、対応付いているカラーキーの色の枠を付した表示に変更する。また、画面切換部３１１は、カラーキー選択用フォーカス１０４を表示する。同図（ｂ）の状態、つまりカラーキー選択用フォーカス１０４が表示されている状態において、視聴者がリモコン装置１８の特定のカラーキーを押下すると、それは画面切換の指示であると認識される。なお、視聴者は、リモコン装置１８を操作する代わりに、受信装置１と連携している端末装置７で等価な操作を行うこともできる。画面切換部３１１は、視聴者によるこの操作にしたがって、画面を切り換える処理を行う。カラーキー選択用フォーカス１０４が表示されている状態で視聴者がどのカラーキーも押下しなかった場合の、画面切換部３１１による処理の一例は、画面を切り換えないまま元の図４（ａ）の表示に戻すという処理である。
【００４２】
なお、ここではカラーキーを画面に割り当てることとしているが、他のキーを画面に割り当てるようにしてもよい。例えば、各画面と上下キーとを対応付けるようにしてもよい。また、例えば、各画面に番号を割り振り（例えば、図４（ｂ）に示した丸数字の番号）、割り振られた番号とリモコン装置１８の数字キーとを対応付けるようにしてもよい。いずれの場合も、キー割当処理部３１３は、キーと画面との対応関係を表す情報を、キー割当記憶部３５に書き込む。そして、視聴者がリモコン装置１８のキーを押したときに、画面切換部３１１は、キー割当記憶部３５を参照することによって、押されたキーに対応する画面が操作対象となるように切り換える。
【００４３】
図５は、トリガー事象に基づいて受信装置１が画面を切り換えるための処理の手順を示すフローチャートである。受信装置１は、トリガー事象を認識したときに、この処理を行う。以下、このフローチャートに沿って、受信装置１の動作手順を説明する。
まずステップＳ１１において、制御部３１は、トリガー事象を認識する。
次にステップＳ１２において、キー割当処理部３１３は、その時点で表示されている各画面と、リモコン装置１８のキーとの対応付けを行う。
次にステップＳ１３において、画面切換部３１１は、キー選択用フォーカスを表示する。また、上記の対応付けに基づいて、各画面に対応付けられているキーが何であるかがわかる情報（例えば、カラーキーの色に対応する画面枠など）を表示する。
次にステップＳ１４において、画面切換部３１１は、画面に対応したキーが押下されたか否かを判定する。押下された場合（ステップＳ１４：ＹＥＳ）には、ステップＳ１５に進む。押下されていなかった場合（ステップＳ１４：ＮＯ）には、ステップＳ１６に進む。
次にステップＳ１５に進んだ場合、同ステップにおいて、画面切換部３１１は、押下されたキーに対応する画面への切り換えを行う。そして、このフローチャート全体の処理を終了する。
次にステップＳ１６において、制御部３１は、キー選択用フォーカスが表示されてから所定時間が経過したか否かを判定する。経過している場合（ステップＳ１６：ＹＥＳ）には、このフローチャート全体の処理を終了する。経過していない場合（ステップＳ１６：ＮＯ）には、ステップＳ１４に戻る。
【００４４】
なお、キーと画面との割当を特に行わず、トリガー事象に応じて、そのときに切り替えるべき最優先の画面に、制御部３１が切り換えるようにしてもよい。
【００４５】
（３）番組予約との連動
次に、番組予約との連動について説明する。
受信装置１は、番組視聴の予約、あるいは視聴者参加型番組への参加の予約を受け付ける機能を有している。番組予約部３１７が、これらの予約を管理する。また、番組情報記憶部３４が、番組予約に関する情報を記憶する。また、受信装置１は、ＥＰＧのデータ等を用いて番組表を表示する機能を有している。なお、受信装置１は、放送信号の中（例えば、イベント情報テーブル（ＥＩＴ））から抽出した情報に基づいて、ある番組が特定の属性（例えば、視聴者参加型番組）を有することを認識し、その属性を有することを示す情報を、番組表内に表示する。そして、受信装置１は、予約した番組（視聴者参加型番組）の放送時刻が到来すると、該当する番組を優先的に操作対象として選択できるようなユーザーインタフェースを、提供する。そのユーザーインタフェースを用いることにより、視聴者は、簡便な方法で所望の放送番組の画面を選択し、その画面に対する操作を行うことが可能となる。より具体的には、以下に説明するとおりである。
【００４６】
図６は、受信装置１が表示する番組表の例を示す概略図である。番組表表示部３１５が、番組情報記憶部３４に記憶されている情報に基づいて、図示するような番組表をひとつの画面に表示する。表示される番組表は、２次元の表の形式を有しており、縦方向（行）が時間帯に対応し、横方向（列）がチャンネル（ないしはサービス）に対応する。図示する例では、最初の時間帯が「７時−８時」、次の時間帯が「８時−９時」に対応し、以後同様に続く。また、最初のチャンネルが「１００」、次のチャンネルが「１０１」、さらに次のチャンネルが「１０２」に対応し、以後同様に続く。番組表内の各ボックスは、上記の時間帯およびチャンネルによって特定される番組情報（番組名等）であり、番組表表示部３１５は、ＥＰＧのデータに基づいてこの番組情報を表示する。
【００４７】
同図において、アイコン１３１，１３２，１３３は、その番組が特定の属性を有するものであることを示すものである。属性とは、例えば、番組が視聴者参加型番組であることを表すものである。ある番組が特定の属性を有する場合、その属性の情報は放送信号に載せて送信されて来る。例えば、放送信号の中のＥＰＧのデータに、番組属性の情報が格納されるようにする。受信装置１はその放送信号を受信し、制御部３１が番組ごとの属性の情報を検出する。番組表表示部３１５は、アイコン１３１，１３２，１３３を、それぞれ異なる表示属性で表示する。ここで、アイコンの表示属性とは、例えば表示色である。図示する例では、アイコン１３１は黄色で表示され、アイコン１３２は緑色で表示され、アイコン１３３は赤色で表示される。アイコンの表示における各色の意味については後述する。
【００４８】
番組予約部３１７は、視聴者による番組予約を管理する機能を有する。視聴者は、リモコン装置１８あるいは端末装置７を用いて、番組の視聴を予約することができる。視聴者は、図６に示す番組表を見ながら、特定の番組の視聴を予約したり、番組予約を解除したりする操作を行えるようになっている。番組予約部３１７は、視聴者によるそれらの操作に基づいて、番組の予約や予約解除を管理する。番組予約部３１７は、番組予約に関する情報を管理するために、適宜、番組情報記憶部３４を更新する。なお、番組予約部３１７は、受信装置１の本体またはリモコン装置１８で番組が予約されたか、連携している端末装置７から番組が予約されたかを区別する情報をも、管理し、番組情報記憶部３４に書き込む。
【００４９】
上述したアイコン１３１，１３２，１３３の表示色は、視聴者による予約の有無や、予約の種別に対応している。アイコン１３１は黄色で表示されている。これは、当該番組が視聴者参加型番組であるが、視聴予約はされていないことを表している。アイコン１３２は緑色で表示されている。これは、当該番組が視聴者参加型番組であり、受信装置１の本体において、またはリモコン装置１８の操作によって、視聴予約がされている番組であることを表している。アイコン１３２は赤色で表示されている。これは、当該番組が視聴者参加型番組であり、受信装置１に連携している端末装置７から視聴予約（あるいは、視聴予約と参加予約）がされている番組であることを表している。
【００５０】
図７は、番組予約と連動して操作対象の画面を選択する際の、ユーザーインタフェースの例を示す概略図である。同図（ａ）は、予約番組の放送時刻が到来する前におけるモニター画面の状態を示すものであり、アプリケーション「Ａｐｐ２」の画面が操作対象として選択されている状態である。同図（ｂ）は、予約されていた番組の放送時刻が到来した時点で受信装置１のモニター画面上に表示されるコーション（caution）を示す概略図である。同図（ｃ）は、予約番組の放送時刻が到来したときにおけるモニター画面の状態を示すものであり、放送番組を表示する画面が操作対象として選択されている状態である。
【００５１】
同図において、モニター画面は、アプリケーション表示画面１６１，１６２，１６３，１６４と、放送番組表示画面１６５とを配置して表示している。同図（ａ）の状態においては、視聴者によるそれまでの操作等に基づいて、アプリケーション表示画面１６２（図中では太枠で囲って示す）が、操作対象として選択されている。ここで、制御部３１は、番組情報記憶部３４に記憶されている予約情報を所定のタイミングで参照している。そして、予約されている番組の放送開始時刻が到来するタイミングで、制御部３１による制御に基づいて、ユーザーインタフェース部１７は、同図（ｂ）に示すコーションをモニター画面上に表示する。このコーションは、予約番組が始まるため今の操作を終了してよいかどうかを尋ね、視聴者が「はい」または「いいえ」のいずれかを選択することを促している。ここで、「今の操作」とは、同図（ａ）に示す状態で行われていた、アプリケーション表示画面１６２を対象とするリモコン装置１８等による操作である。そして「はい」が選択された場合、制御部３１は、操作対象を放送番組表示画面１６５に切り換える。また「いいえ」が選択された場合、制御部３１は、それまでの状態を維持し、アプリケーション表示画面１６２を操作対象とする。同図（ｃ）は、同図（ｂ）における「はい」が選択されて、放送番組表示画面１６５（図中では太枠で囲って示す）がリモコンによる操作対象となっている状態である。
【００５２】
上述したように、この場合におけるトリガー事象は、番組視聴の予約あるいは視聴者参加型番組への参加の予約がなされている状態において、当該予約された番組の開始時刻が到来することである。
このように、番組視聴の予約、あるいは視聴者参加型番組への参加の予約がなされている場合に、自動的に操作対象の画面を切り換えることによって、視聴者の利便性が向上する。
【００５３】
（４）連携している端末装置での番組視聴
次に、連携している端末装置での番組視聴について説明する。
上の説明において、図７（ｂ）のコーションに対して視聴者が「いいえ」を選択した場合、制御部３１は、それまでの状態を維持し、放送番組画面への切り換えを行わないことを述べた。ここで説明するのは、そのような場合に、連携している端末装置での番組視聴を可能とする機能である。
【００５４】
図８は、端末装置での番組視聴をするか否かを、視聴者に問い合わせるための画面を示す概略図である。予約した番組の放送時刻が到来したにもかかわらず、図７（ｂ）の画面に対して「いいえ」が選択された場合、制御部３１による制御にしたがって、ユーザーインタフェース部１７は、図８の画面を表示する。同図に示す画面においては「連携スマホに飛ばしますか？」というメッセージが表示されるとともに、「はい」または「いいえ」のいずれかを選択可能としている。ここで、視聴者が「はい」を選択すると、受信装置１は、予約されていた放送番組のチャンネル（サービス）を受信するとともに、その放送番組の映像および音声のデータを、連携している端末装置７に送信する。また、視聴者が「いいえ」を選択した場合には、受信装置１は、その放送番組の映像および音声を端末装置７には送信しない。
【００５５】
なお、視聴者の操作によって連携端末での番組視聴が選択された場合には、受信装置１は、ローカルエリアネットワーク９を介して、放送番組の映像および音声を伝送させる。このとき、受信装置１は、適宜、映像および音声のデータのビットレートを下げて（映像および音声の質を落として）送信するようにしてもよい。
【００５６】
（５）番組表における番組種別に応じた表示と、番組種別による予約
次に、視聴者参加型番組の種別を示す情報をあらかじめ設定し、該当する番組が開始されたら自動的に参加可能にするための機能について説明する。
図６を参照しながら説明した機能では、受信装置１が表示する番組表において、視聴者参加型番組であることを示すアイコンを表示するとともに、そのアイコンの色によって、視聴予約がされているか否かを表す機能を説明した。
その機能に代えて、ここで説明する機能では、受信装置１は視聴者参加番組の種別（ジャンル）に応じて、番組表内で表示するアイコンの色を変えるようにする。
【００５７】
図９は、受信装置１が表示する番組表の例を示す概略図である。同図に示す番組表では、番組種別に応じた表示が行われる。この番組表もまた、２次元の表の形式を有しており、縦方向（行）が時間帯に対応し、横方向（列）がチャンネル（ないしはサービス）に対応する。そして、アイコン１８１，１８２，１８３は、その番組が視聴者参加型番組であることを表すものである。また、これらのアイコン１８１，１８２，１８３の表示色は、番組の種別に対応している。
【００５８】
アイコン１８１は黄色で表示されている。これは、当該番組が、視聴者参加型番組であり、視聴者がポイントを蓄積してそのポイントの数に応じて賞品を獲得する機会を得るという種別の視聴者参加型番組であることを表している。アイコン１８２は緑色で表示されている。これは、当該番組が、視聴者参加型番組であり、視聴者がポイントを蓄積してそのポイントの数に応じて賞金を獲得する機会を得るという種別の視聴者参加型番組であることを表している。アイコン１８３は赤色で表示されている。これは、当該番組が、視聴者参加型番組であり、賞品や賞金等を獲得する機会は得られないが視聴者がポイントを貯めてゲームとして楽しむ種別の視聴者参加型番組であることを表している。なお、受信装置１は、放送信号の中（例えば、イベント情報テーブル（ＥＩＴ））から抽出した情報に基づいて、番組が視聴者参加型番組であるか否かを判別する。また、受信装置１は、放送信号の中から抽出した同様の情報に基づいて、その視聴者参加型番組の種別（視聴者が賞品を獲得する機会を与えるものか、視聴者が賞金を獲得する機会を与えるものか、単にゲームとして楽しむものか）を認識する。受信装置１が獲得したこれらの情報に基づいて、制御部３１内の番組表表示部３１５が、番組種別に応じた表示を行う。
【００５９】
ここで、番組予約部３１７は、特定の番組を予約するだけではなく、番組種別による予約を行う機能を有している。番組予約部３１７は、視聴者が、特定の番組種別の視聴を予約する操作を行うと、その予約情報を番組情報記憶部３４に書き込む。なお、視聴者の操作により、番組予約部３１７は、予約を解除したり変更したりすることもできる。制御部３１は、番組情報記憶部に記憶されている番組種別の情報を所定の時間間隔で参照する。この番組種別の情報により、制御部３１は、各番組について、視聴者参加型番組であるか否かと、視聴者参加型番組である場合にはその種別とを認識する。そして、特定の番組種別の視聴が予約されている場合であって、その種別の番組の開始時刻が到来するときに、制御部３１は、その放送番組の受信を開始するとともに、視聴者のリモコン装置１８等による操作の対象を、その番組の放送番組表示画面に切り換える。
【００６０】
なお、予約されていた種別の番組の放送開始時刻が到来するとき、制御部３１が、まず図７（ｂ）のコーションを表示するようにユーザーインタフェース部１７を制御してから、「はい」の応答があった場合にのみ実際に上記の画面切換を行うようにしてもよい。
また、図７（ｂ）のコーションに対して「いいえ」の応答があった場合、制御部３１は、図８のコーション（連携スマホに飛ばすか否かを尋ねるコーション）を表示するようにユーザーインタフェース部１７を制御してもよい。図８のコーションに対して「はい」の応答があった場合、制御部３１は、既に述べた方法で放送番組の映像と音声を、連携している端末装置７に送信するよう、制御する。
【００６１】
なお、視聴者参加型番組に対してここで述べた機能（種別ごとに異なる表示と、番組種別による視聴予約）を適用するだけでなく、他の種別に関して、ここで述べた機能を適用するようにしてもよい。
【００６２】
上述したように、この場合におけるトリガー事象は、予約されている種別に属する番組の開始時刻が到来することである。
このように、視聴者が予め望んだ種別の番組が開始されるときに、自動的に操作対象の画面を切り換えることによって、視聴者の利便性が向上する。
【００６３】
（６）参加履歴やポイント取得履歴に応じた画面制御
次に、ポイント取得履歴に応じて番組を表示し操作対象の画面を切り換えるようにする機能について説明する。テレビ放送における通常のレギュラー番組は、定期的に放送される。例えば、ある番組は毎日、放送される。また、ある番組は平日（月曜日から金曜日まで）に限って毎日、放送される。また、ある番組は特定の曜日に毎週、放送される。
ここで説明する機能は、当該受信装置１を利用する視聴者が過去に参加したことのある視聴者参加型番組を、自動的に優先して操作可能とする機能である。または、当該受信装置１を利用する視聴者が既にポイントを蓄積している視聴者参加型番組を、自動的に優先して操作可能とする機能である。
【００６４】
図１０は、受信装置１が表示する番組表の例を示す概略図である。同図に示す番組表では、番組に関連付けて、視聴者の参加履歴およびポイントに関する情報を含んだアイコンの表示が行われる。この番組表もまた、２次元の表の形式を有しており、縦方向（行）が時間帯に対応し、横方向（列）がチャンネル（ないしはサービス）に対応する。そして、アイコン１９１，１９２，１９３は、その番組が視聴者参加型番組であって、当該受信装置１を利用する視聴者が参加したことがある番組であることを表している。また、アイコン１９１，１９２，１９３それぞれの上に付された数値は、その番組において当該受信装置１を利用する視聴者が蓄積しているポイントの値である。アイコン１９１には１００ポイントと表示され、アイコン１９２には５０ポイントと表示され、アイコン１９３には２０ポイントと表示されている。また、アイコン１９１，１９２，１９３の各々は、ポイントの値に対応するメーター表示を模した絵柄を有している。つまり、これらのアイコンの絵柄だけで、蓄積されているポイントの多寡が概ねわかるようにデザインされている。
【００６５】
ここで、制御部３１内のポイント処理部３１９は、参加者視聴型番組で付与されたポイントを管理する。具体的には、ポイント処理部３１９は、番組側からポイントが付与されたとき、その番組に対応付ける形で、そのポイントの情報を番組情報記憶部３４に書き込んでおく。つまり、受信装置１は、レギュラー番組の放送開始前から、当該番組の過去の回において当該受信装置１を利用する視聴者が獲得された情報を保持している。また、ポイント処理部３１９は、当該受信装置１を利用する視聴者が過去に参加した視聴者参加型番組に関しては、たとえ付与されたポイントが０であっても、参加履歴の情報を、その番組に対応付ける形で番組情報記憶部３４に書き込んでおく。
なお、制御部３１は、番組表の情報に基づいて、レギュラー番組の複数の放送回を関連づけて管理する。このため、制御部３１は、過去の回に参加した番組と、まだ開始時刻が到来していない次の回の番組とを関連付けて把握することができる。
【００６６】
そして、制御部３１は、ポイント獲得済みの番組に関して、次の回の放送開始時刻が到来したか否かを、所定の時間間隔で確認する。ポイント獲得済みの番組の開始時刻が到来したとき、制御部３１は、その放送番組の受信を開始するとともに、視聴者のリモコン装置１８等による操作の対象を、その番組の放送番組表示画面に切り換える。
あるいは、ポイントを獲得していなくても、参加履歴を有する番組に関して、次の回の放送開始時刻が到来したか否かを、所定の時間間隔で確認するようにしてもよい。参加履歴を有する番組の開始時刻が到来したとき、制御部３１は、その放送番組の受信を開始するとともに、視聴者のリモコン装置１８等による操作の対象を、その番組の放送番組表示画面に切り換える。
【００６７】
なお、視聴者が参加したことのある番組、あるいはポイントが蓄積されている番組の放送開始時刻が到来するとき、制御部３１が、まず図７（ｂ）のコーションを表示するようにユーザーインタフェース部１７を制御してから、「はい」の応答があった場合にのみ実際に上記の画面切換を行うようにしてもよい。
また、図７（ｂ）のコーションに対して「いいえ」の応答があった場合、制御部３１は、図８のコーション（連携スマホに飛ばすか否かを尋ねるコーション）を表示するようにユーザーインタフェース部１７を制御してもよい。図８のコーションに対して「はい」の応答があった場合、制御部３１は、既に述べた方法で放送番組の映像と音声を、連携している端末装置７に送信するよう、制御する。
【００６８】
なお、視聴者参加型番組におけるポイントの情報を受信装置１が受信するしくみ自体は、既存技術を利用して実現可能である。受信装置１は、放送局側のコンピューターから、インターネット等を経由した通信により受信する。ただし、受信装置１が、放送信号からポイントの情報を抽出するようにしてもよい。
【００６９】
上述したように、この場合におけるトリガー事象は、参加履歴のある番組の開始時刻が到来すること、あるいは参加によって付与されたポイントが蓄積されている番組の開始時刻が到来することである。
このように、参加履歴があるような視聴者参加番組が開始されるとき、あるいはポイントが既に蓄積されている視聴者参加番組が開始されるとき、自動的に操作対象の画面を切り換えることによって、視聴者の利便性が向上する。
【００７０】
以上説明した各機能は、適宜、組み合わせて受信装置１に実装してよい。必ずしもすべての機能を受信装置１に実装しなくても良い。
あるいは、受信装置１の設定により、以上説明した各機能のうち、視聴者が使用したい機能のみを選択的に使用するようにしてもよい。
また上では、図６と図９と図１０とを参照して、異なる方法による番組表の表示について説明した。これらの異なる番組表の表示を、例えば視聴者による操作に基づいて、適宜、切り換えられるようにしてもよい。
【００７１】
なお、上述した実施形態における受信装置、端末装置、リモコン装置の機能の少なくとも一部をコンピューターで実現するようにしても良い。その場合、この機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリのように、一定時間プログラムを保持しているものも含んでも良い。また上記プログラムは、前述した機能の一部を実現するためのものであっても良く、さらに前述した機能をコンピューターシステムにすでに記録されているプログラムとの組み合わせで実現できるものであっても良い。
【００７２】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７３】
本発明は、放送等を受信する受信装置、およびその周辺の関連機器に利用することができる。
【符号の説明】
【００７４】
１  受信装置
１１  通信部
１７  ユーザーインタフェース部
２１  受信部
２２  分離部
２３  デコード部
２４  出力部
３１  制御部
３４  番組情報記憶部
３５  キー割当記憶部
４１  アプリケーション実行部
３１１  画面切換部
３１３  キー割当処理部
３１５  番組表表示部
３１７  番組予約部
３１９  ポイント処理部
【図１】
2017069727.tif 000003
【図２】
2017069727.tif 000004
【図３】
2017069727.tif 000005
【図４】
2017069727.tif 000006
【図５】
2017069727.tif 000007
【図６】
2017069727.tif 000008
【図７】
2017069727.tif 000009
【図８】
2017069727.tif 000010
【図９】
2017069727.tif 000011
【図１０】
2017069727.tif 000012